Podtech/llm-jp-corpus-v4-ja_patent huggingface dataset:
(57)【要約】【課題】  従来、ジェット機の機首は、下向きのため、向い風は機首から胴体上方に流れ、機首と胴体を下方に押す反揚力作用が発生する。  このため、ジェット機の燃料は、反揚力作用をなくすための分も必要とし、相当の燃料をむだ使いしている。【解決手段】  ジェット機の機首を上向きに形成すると共に前脚室前の機首両側下部と主脚室の後部両側下部に、胴体巾のひれを垂設して構成した。  これにより、揚力作用は大きくなるので、運行性能は向上し、航続距離を伸ばせると共に燃料を相当節約でき、省エネジェット機にすることができる。【選択図】図１
2018076046.tif 000002
【特許請求の範囲】
【請求項１】
ジェット機の機首を上向きに形成し、また、前脚室前の機首両側下部に、胴体巾の前部ひれを垂設し、該前部ひれの先端は外側に反らせ、後部は後方に向け、徐々に厚く形成したことを特徴とするひれ付き省エネジェット機。
【請求項２】
ジェット機の主脚室の後部両側下部に胴体巾の後部ひれを垂設し、該後部ひれの先端は外側に反らせ、後部は後方に向け徐々に厚く形成したことを特徴とするひれ付きジェット機。
【発明の詳細な説明】
【技術分野】
【０００１】  本発明は、ひれ付き省エネジェット機に関する。
【背景技術】
【０００２】  従来、ジェット機の機首は、下向きのため、向い風は機首から胴体上方に流れ、機首と胴体を下方に押す反揚力作用が発生する。
このため、ジェッ機の燃料は、反揚力作用をなくすための分も必要とし、相当の燃料をむだ使いしている。
【発明の概要】
【発明が解決しようとする課題】
【０００３】  本発明は、ジェッ機の向い風を胴体下部に流し、機首と胴体に揚力作用を与えて燃料消費を減じ、省エネジェット機にすることを目的とする。
【発明を解決するための手段】
【０００４】  そして、本発明は、ジェット機の機首を上向きに形成し、また、前脚室前の機首両側下部に、胴体巾の前部ひれを垂設し、該前部ひれの先端は外側に反らせ、後部は後方に向け、徐々に厚く形成したものである。
【０００５】  応用実施例として、主脚室の後部両側下部に胴体巾の後部ひれを垂設し、該後部ひれの先端は外側に反らせ、後部は後方に向け徐々に厚く形成したものである。
【発明の効果】
【０００６】  本発明は、上記のように構成したので、ジェット機の機首が受けるすべての向い風は、前部ひれに囲い込まれて、胴体下部に流れる。
この向い風が後方に流れる時、向い風が機首を浮かせると共に胴体下部に流れる向い風は胴体を浮かせるので、総合的に、機首から胴体の機体全体を浮揚する。
したがって、反浮揚作用をなくすための燃料は不要で、尚、且、浮揚力は大きいので、航続距離を伸ばせると共に燃料を相当節約できるので、省エネジェット機にすることができる。
【０００７】  応用実施例の図３は、主脚室の後部両側下部に、後部ひれを垂設したので、機体全体を効果的に浮揚する。
【０００８】  なお、本発明の構造簡単で、就役中の下向き機首のジェット機のみならずプロペラ機にも実施可能である等の諸効果を有するものである。
【図面の簡単な説明】
【０００９】
【図１】  本発明の正面図
【図２】  図１の左側面図
【図３】  図１の線Ａ−Ａ方向図
【図４】  図１の底面図
【発明を実施するための形態】
【００１０】  １はジェット機で、機首２を上向きに形成している。６は前脚室４前の機首２両側下部に垂設した胴体３巾の前部ひれで、該前部ひれ６の先端は外向きに反らせ、後部は後方に向け徐々に厚く形成している。
【００１１】  応用実施例の図３の７は、主脚室５の後部両側下部に垂設した胴体３巾の後部ひれで、該後部ひれ７の先端は外向きに反らせ、後部は後方に向け徐々に厚く形成している。
【００１２】  なお、前部と後部ひれを胴体より巾広く形成し、該両ひれの内巾を胴体と同じ巾にしてもよい。
【符号の説明】
【００１３】  １  ジェット機
２  機首
３  胴体
４  前脚室
５  主脚室
６  前部ひれ
７  後部ひれ
【図１】
2018076046.tif 000003
【図２】
2018076046.tif 000004
【図３】
2018076046.tif 000005
【図４】
2018076046.tif 000006
【手続補正書】
【提出日】平成29年5月3日(2017.5.3)
【手続補正１】
【補正対象書類名】明細書
【補正対象項目名】０００４
【補正方法】変更
【補正の内容】
【０００４】  そして、本発明は、ジェット機の機首を上向きに形成し、また、前脚室前の機首両側下部に、胴体巾の前部ひれを垂設し、該前部ひれの先端の内側を外側に反らせ、後部は後方に向け、徐々に厚く形成したものである。
【手続補正２】
【補正対象書類名】明細書
【補正対象項目名】０００５
【補正方法】変更
【補正の内容】
【０００５】  応用実施例として、主脚室の後部両側下部に、胴体巾の後部ひれを垂設し、該後部ひれの先端の内側を外側に反らせ、後部は後方に向け、徐々に厚く形成したものである。
【手続補正３】
【補正対象書類名】明細書
【補正対象項目名】００１０
【補正方法】変更
【補正の内容】
【００１０】  １はジェット機で、機首を上向きに形成している。６は前脚室４前の機首２両側下部に垂設した胴体３巾の前部ひれで、該前部ひれ６の先端の内側を外側に反らせ、後部は後方に向け、徐々に厚く形成している。
【手続補正４】
【補正対象書類名】明細書
【補正対象項目名】００１１
【補正方法】変更
【補正の内容】
【００１１】  応用実施例の図３の７は、主脚室５の後部両側下部に垂設した胴体３巾の後部ひれで、該後部ひれ７の先端の内側を外側に反らせ、後部は後方に向け、徐々に厚く形成している。
【手続補正５】
【補正対象書類名】特許請求の範囲
【補正対象項目名】全文
【補正方法】変更
【補正の内容】
【特許請求の範囲】
【請求項１】
ジェット機の機首を上向きに形成し、また、前脚室前の機首両側下部に、胴体巾の前部ひれを垂設し、該前部ひれの先端の内側を外側に反らせ、後部は後方に向け、徐々に厚く形成したことを特徴とするひれ付き省エネジェット機。
【請求項２】
ジェット機の主脚室の後部両側下部に、胴体巾の後部ひれを垂設し、該後部ひれの先端の内側を外側に反らせ、後部は後方に向け、徐々に厚く形成したことを特徴とするひれ付き省エネジェット機。
(57)【要約】【課題】液体成分で精製される育毛剤で、粘性成分を加えても均一に精製して効果的に毛髪を育毛することができる毛髪用育毛剤の製造方法を提供し、その製造方法によって製造した毛髪用育毛剤を提供すること【解決手段】変性アルコールに、ｌ−メントールとヒノキチオールとを混合して撹拌溶解してメントール溶液を精製し、育毛成分剤を変性アルコールに混入撹拌して育毛成分溶液を精製し、前記メントール溶液と前記育毛成分溶液とを混合してさらに香料とローズマリー油とを加えて混合し、その後精製水にメチルパラベンとベントナイトとを撹拌混合して予め精製した防腐剤入りベントナイト溶液を加えて均一に撹拌し、さらにその後檜のチップを水にいれて蒸留精製したヒノキ水を加えて撹拌し、さらにまた血流促進剤を加えて撹拌し、最後に増粘剤溶液を加えて撹拌し均一に精製する頭髪用育毛剤の製造方法、及びこの製造方法で製造する頭髪用育毛剤。【特許請求の範囲】
【請求項１】
変性アルコールに、ｌ−メントールとヒノキチオールとを混合して撹拌溶解してメントール溶液を精製し、育毛成分剤を変性アルコールに混入撹拌して育毛成分溶液を精製し、前記メントール溶液と前記育毛成分溶液とを混合してさらに香料とローズマリー油とを加えて混合し、その後精製水にメチルパラベンとベントナイトとを撹拌混合して予め精製した防腐剤入りベントナイト溶液を加えて均一に撹拌し、さらにその後檜のチップを水に入れて蒸留精製したヒノキ水を加えて撹拌し、さらにまた血流促進剤を加えて撹拌し、最後に増粘剤を加えて撹拌し均一に精製することを特徴とする頭髪用育毛剤の製造方法。
【請求項２】
請求項１記載の頭髪用育毛剤の製造方法で製造することを特徴とする頭髪用育毛剤。
【発明の詳細な説明】
【技術分野】
【０００１】  本発明は、粘性を保持した頭髪用育毛剤の製造方法及び頭髪用育毛剤に関する。
【背景技術】
【０００２】  一般に従来の育毛剤は、頭部に液体で散布するものや、スプレー式のものが主流であり、形態は液体状のものであるが、それら液体形状のものは、頭部に使用する際、直接に散布するため、液体である育毛剤が頭部より流れ落ちる確率も高く、それは同時に眼にも入ってしまう危険性があり、使用において注意する必要がある。このような問題点を解決し、効果的に毛髪を育毛するための粘性のある育毛剤としては、例えば、特開２００８−８１４８２号公報に記載されたものがある。
【先行技術文献】
【特許文献】
【０００３】
【特許文献１】特開２００８−８１４８２号公報
【発明の概要】
【発明が解決しようとする課題】
【０００４】  特開２００８−８１４８２号記載の育毛剤は粉末成分と液体成分とから粘性を保持した育毛剤を形成したものであるが、育毛剤は、アルコール成分、水分、油分等の多種多様な成分の液体から精製されるものもあり、単に粘性物質を入れるだけでは均一な粘性状の育毛剤を精製することはできない。【０００５】  そこで、本発明は、液体成分で精製される育毛剤で、粘性成分を加えても均一に精製して効果的に毛髪を育毛することができる毛髪用育毛剤の製造方法を提供し、その製造方法によって製造した毛髪用育毛剤を提供することを目的としてなされたものである。
【課題を解決するための手段】
【０００６】  本発明は上記目的を達成させるため、変性アルコールに、ｌ−メントールとヒノキチオールとを常温で混合し攪拌溶解して「メントール溶液」を精製し（１液）、育毛成分剤を常温で変性アルコールに混入攪拌して「育毛成分溶液」を精製し（２液）、前記１液と２液を混合して更に香料とローズマリー油を加えて混合し、その後精製水にメチルパラベンとベントナイトとを加熱攪拌混合（８３℃）して予め精製していた防腐剤入りベントナイト溶液（３液）を常温で加えて均一に攪拌し、更にその後檜のチップを水に入れて蒸留精製したヒノキ水（４液）を常温で加えて攪拌し、更に又血流促進剤を常温で加えて混合し、最後に予め精製水に増粘剤を加え加熱攪拌溶解（８０℃）しておいた増粘剤溶液（５液）を常温で加えて攪拌し均一に精製する頭髪用育毛剤の製造方法、及びこの製造方法で製造する頭髪用育毛剤を提供している。
【発明の効果】
【０００７】  この製造方法により、毛髪育毛成分、血流促進成分、粘性成分等の多種多様の液体成分を均一に撹拌させた頭髪用育毛剤がえられ、さらに、均一に粘性を持たせたことによる効果、即ち、液体である育毛剤が頭部より流れ落ちる確率も高く、それは同時に眼にも入ってしまう危険性があるといった課題を防ぐことが効率よく得られるものである。
【発明を実施するための形態】
【０００８】  本発明の実施の形態を具体的に説明する。
この実施の形態は、ハンドメイドにより、頭髪用育毛剤を４００グラム精製する際の形態である。
【０００９】  まず、変性アルコール２６０グラムにｌ−メントール１．６グラムを加え、数分間（好ましくは５分間）撹拌を行い溶解させてメントール溶液を精製する（１液）。次いで、檜チップ１キログラムをミキサーに入れて、精製水８キログラムを加え、水蒸気蒸留を行い２キログラムまで収量させてヒノキ水を精製する（４液）。
【００１０】  また、精製水９９．７５グラムにメチルパラベン（メッキンス−Ｍ）０．１５グラムと第１の粘性材のベントナイト（クニピアＧ）０．１０グラムを加えて撹拌しつつバーナーで加熱してセ氏８３度に加熱し、その後セ氏７０度まで空冷撹拌しつつ冷却し、さらにその後水冷でセ氏３０度まで温度を下げて、蒸発水分を精製水で補い防腐剤入りベントナイト溶液１００グラムを精製する（３液）。
【００１１】  さらに、変性アルコール９９．９グラムを撹拌しながら育毛成分材であるピディオキシジル０．１グラムを加えて常温で溶解させて育毛成分アルコール溶液１００グラムを精製する。（２液）
【００１２】  容器にメントール溶液（１液）を２１８．９グラム入れておく。これに育毛成分溶液（２液）を０．０４グラムを常温で加えて混合し、次に、香料であるＨＩＮＯＫＩＫＯＮＰＩＲＡ１０１を１．６グラム、ローズマリー油を１．６グラム加えて混合し、さらに、防腐剤入りベントナイト溶液（３液）７４．５グラム加えて均一になるよう数分間（好ましくは５分間）撹拌し、ヒノキ水（４液）４グラムを加え撹拌する。
【００１３】  その後、血流促進成分であるスエルチアニン、ファルコレックスＭＳＴＣ、ファルコレックスジオウＢ、ファルコレックスＨＧＬをそれぞれ１グラム、トウガラシチンキ１４．０グラムを加えて撹拌し、最後に、８０グラムの精製水に増粘剤の疎水化ヒドロキシプロピルメチルセルロースを１．３２グラム、ヒアルロン酸ＦＣＨ２０１Ｐを０．０４グラムを加え７０℃に加熱し溶解したものを均一になるよう十分に撹拌し、金属フルイを通してゴミ等の不純物を除去して４００グラムの頭髪用育毛剤を精製した。
【００１４】  このようにして精製した頭髪用育毛剤は、均一液状成分の育毛剤であるので、頭部から流れ落ちるのを防ぎ、それにより眼に入るのも防ぐので、育毛の効能はアップし、眼の障害発生を防止することができるものである。
(57)【要約】      （修正有）【課題】単純な暗記作業の繰り返しにならない、電車移動中等の合間の時間に気軽に暗記作業をすることが可能な、単語テストの際に、単語を隠すための隠しシート体を使用する必要がない、単語暗記学習ノートを提供する。【解決手段】ページ１は単語を記載できるだけのスペースを除き用紙の右側を切り取る。ページ２左側にページ１と同じ幅の欄を直列に複数設け、ページ１を左側に折り返した状態のとき見えるようにする。また、ページ２は用紙を切取ることができるように切取り線３を各行に設け、切取った後に複数の用紙を重ねてリングでまとめることができるように各行にパンチ穴４を開ける。【選択図】図２
2018066971.tif 000002
【特許請求の範囲】
【請求項１】
ページ１（１）は単語を記載できるだけのスペースを除き用紙の右側を切り取り、単語を記載する欄を直列に複数設ける。
【請求項２】
ページ２（２）左側にページ１（１）と同じ幅の欄を直列に複数設け、ページ１（１）を左側に折り返した状態のとき見えるようにする。
【請求項３】
ページ２（２）は用紙を切取ることができるように切取り線（３）を各行に設ける。
【請求項４】
用紙を切取った後に複数の用紙を重ねてリング（６）でまとめることができるように各行にパンチ穴（４）を開ける。
【発明の詳細な説明】
【技術分野】
【０００１】  本発明は、単語を書いて暗記する、テストする、復習するという暗記に係る一連の作業を体系化した単語暗記学習ノートに関するものである。
【技術背景】
【０００２】  従来の単語暗記学習ノートは、１枚の用紙に単語を書いて暗記し、その後テストをして正解できなかった単語を同様の用紙の所定欄に反復練習（特許文献１）するものであった。
【先行技術文献】
【０００３】
【特許文献１】特開２０１３−２３３７５２号公報
【発明の概要】
【発明が解決しようとする課題】
【０００４】  従来の単語暗記学習ノートは次のような欠点があった。
（イ）、テストをして覚えることができなかった単語を同様の紙に再度書き写すことしかできず、単純な暗記作業の繰り返しになってしまっていた。
（ロ）、電車移動中等の合間の時間に気軽に暗記作業をすることが困難であった。
（ハ）、単語テストの際に、単語を隠すための隠しシート体を使用する必要があり面倒であった。
本発明は、以上の問題点を解決するために発明されたものである。
【課題を解決するための手段】
【０００５】  ページ１（１）は単語を記載できるだけのスペースを除き用紙の右側を切り取り、単語を記載する欄を直列に設ける。
ページ２（２）左側にページ１（１）と同じ幅の欄を直列に複数設け、ページ１（１）を左側に折り返した状態のとき見えるようにする。
また、ページ２（２）は用紙を切取ることができるように切取り線（３）を各行に設け、切取った後に複数の用紙を重ねてリング（６）でまとめることができるように各行にパンチ穴（４）を開ける。
【発明の効果】
【０００６】  本発明を使用することによって、書いて暗記する、テストする、復習するという暗記に係る一連の作業を体系的に行うことが可能となる。
また、本発明は暗記テストの結果、暗記することができなかった単語をリングに閉じて持ち運びすることができる為、通学中、通勤中の電車移動中等場所を選ぶことなく、合間の時間を最大限に活用し学習することが可能である。
【図面の簡単な説明】
【０００７】
【図１】本発明の暗記を試みようとする単語及びその単語に対する意味記入時ページ斜視図
【図２】本発明の暗記作業に必要な１〜３ページひとまとまりが写る斜視図
【図３】本発明の暗記テストにて不正解となった単語を復習用にリングでまとめている斜視図
【発明を実施するための形態】
【０００８】以下、本発明の実施の形態を説明する。
（イ）、ページ１（１）の各行に暗記しようとする単語を書き、その単語の右側ページ２（２）の該当欄にページ１（１）に記載した単語の意味を書く。
（ロ）、ページ３（５）を切取り、ページ１（１）及びページ２（２）に記載した単語及び意味を暗記できるように何度も書くという作業を繰り返す。
（ハ）、ある一定期間経過したのち、ページ１（１）を左側に折り、単語記載面が見えないように裏返した状態にてページ２（２）に記載した単語の意味に該当する単語をページ２（２）左側欄の横の実線上部枠内に記載する。
（ニ）、その後、ページ１（１）に記載の単語と照らし合わせ、不正解であった単語は斜線をし、その下部枠内に正しい単語を書く。その他不正解の単語があった場合は同様の作業を行う。
（ホ）、不正解であった単語が記載された行を切取り線（３）に沿って切取り、ノートから切り離す。その他不正解であった単語が記載された行がある場合、同様にノートから切り離す。
（ヘ）、ノートから切り離した用紙が複数枚ある場合、それらを重なり合わせる。
（ト）、重なり合わせた用紙の左上部パンチ穴（４）にリング（６）を通して用紙をまとめる。
【符号の説明】
【０００９】１    ページ１
２    ページ２
３    切取り線
４    パンチ穴
５    ページ３
６    リング
【図１】
2018066971.tif 000003
【図２】
2018066971.tif 000004
【図３】
2018066971.tif 000005
(57)【要約】      （修正有）【課題】金合金の宝飾品において基準となっているＡｕ−Ａｇ−Ｃｕの三元合金であり、硬さ、色調、耐食性、耐変色性に優れ、変形しにくく、傷が付きにくい合金を提供する。【解決手段】Ａｕ６０ｗｔ％以上に対し、Ａｇ１.５ｗｔ％〜２０.０ｗｔ％、Ｃｕ１.５ｗｔ％〜２０.０ｗｔ％、Ｚｎ０．５ｗｔ％〜５．０ｗｔ％、Ｐｔ１．０ｗｔ％〜１０．０ｗｔ％とした宝飾用金合金。【選択図】なし【特許請求の範囲】
【請求項１】
Ａｕ６０ｗｔ％以上において、Ａｇ１.５ｗｔ％〜２０.０ｗｔ％、Ｃｕ１.５ｗｔ％〜２０.０ｗｔ％、Ｚｎ０．５ｗｔ％〜５．０ｗｔ％、Ｐｔ１．０ｗｔ％〜１０．０ｗｔ％とした宝飾用金合金。
【請求項２】
Ａｕ６０ｗｔ％以上において、Ａｇ１.５ｗｔ％〜２０.０ｗｔ％、Ｃｕ１.５ｗｔ％〜２０.０ｗｔ％、Ｚｎ０．５ｗｔ％〜５．０ｗｔ％、Ｐｔ１．０ｗｔ％〜１０．０ｗｔ％、Ｐｄ１．０ｗｔ％〜５.０ｗｔ％とした宝飾用金合金
【請求項３】
Ａｕ６０ｗｔ％以上において、Ａｇ１.５ｗｔ％〜２０.０ｗｔ％、Ｃｕ１.５ｗｔ％〜２０.０ｗｔ％、Ｐｔ１．０ｗｔ％〜１０.０ｗｔ％、Ｐｄ１.０ｗｔ％〜５.０ｗｔ％、Ｉｎ０.５ｗｔ％〜３.０ｗｔ％、Ｓｎ０.５ｗｔ％〜３.０ｗｔ％とした宝飾用金合金
【発明の詳細な説明】
【技術分野】
【０００１】
本発明は、指輪、ネックレス、ペンダント、イヤリング等の宝飾品に使用される金合金に関する
【背景技術】
【０００２】
宝飾用金合金については、ＪＩＳやＩＳＯ規格で規定された各種合金があり、Ａｕに対する添加金属はＡｇ、Ｃｕが基本となり、求められる硬さや色調に応じて他の添加金属が用いられている。
【０００３】
歯科用合金ではＰｔ、Ｚｎ、Ｉｒ、Ｒｕ、Ｒｈおよび／またはＲｅ等を添加することで、金色の色調を呈しながら、機械的性質の優れた金合金が使用されている（例えば特許文献２）。
【０００４】
しかし、歯科用合金は高融点であるためアーク溶解によって鋳造されており、５〜１０グラムと溶解量が少なく、構成金属間の融点の差による鋳造不良を招く恐れが高いため、添加金属の添加量も微量とならざるを得ない。
【先行技術文献】
【特許文献】
【０００５】
【特許文献１】特開平１１−１５２５３１公報
【特許文献２】特開２０１１−２２５９０２公報
【発明の概要】
【発明が解決しようとする課題】
【０００６】
宝飾用金合金は、一般的にＡｕ−Ａｇ−Ｃｕの三元合金が基準となっているが、硬さはＨｖ７０〜１２０程度であり、使用時に変形しやすく、傷が付きやすいなどの問題がある。
【０００７】
一般的には合金の硬さを高めるためにＰｔ、Ｉｒ等が添加されるが、添加量が多いと金色の色調が失われ、白色に近い色調を持った合金となる。従って、合金の硬さと金の色調を両立させることは難しい。
【０００８】
また、宝飾用合金として必要な溶解量は２００〜３００グラムと多量であるため、一般的な高周波溶解装置で溶解鋳造ができる必要がある。
【０００９】
本発明は、このような問題を解決することを課題とする。
【課題を解決する為の手段】
【００１０】
そこで本研究はＡｕ６０ｗｔ％以上において、硬さ、色調、耐食性、耐変色性が良く、変形しにくくしかも傷が付きにくい合金を作製するために、Ａｇ１.５ｗｔ％〜２０.０ｗｔ％、Ｃｕ１.５ｗｔ％〜２０.０ｗｔ％、Ｚｎ０．５ｗｔ％〜５．０ｗｔ％、Ｐｔ１．０ｗｔ％〜１０．０ｗｔ％とした宝飾用金合金とする。
【００１１】
さらに、Ａｕ６０ｗｔ％以上において、Ａｇ１.５ｗｔ％〜２０.０ｗｔ％、Ｃｕ１.５ｗｔ％〜２０.０ｗｔ％、Ｚｎ０．５ｗｔ％〜５．０ｗｔ％、Ｐｔ１．０ｗｔ％〜１０．０ｗｔ％、Ｐｄ１．０ｗｔ％〜５.０ｗｔ％とした宝飾用金合金とする。
【００１２】
さらに、Ａｕ６０ｗｔ％以上において、Ａｇ１.５ｗｔ％〜２０.０ｗｔ％、Ｃｕ１.５ｗｔ％〜２０.０ｗｔ％、Ｐｔ１．０ｗｔ％〜１０.０ｗｔ％、Ｐｄ１.０ｗｔ％〜５.０ｗｔ％、Ｉｎ０.５ｗｔ％〜３.０ｗｔ％、Ｓｎ０.５ｗｔ％〜３.０ｗｔ％とした宝飾用金合金とする。
【００１３】
ここで、Ｐｔを添加する目的は、硬さを高めるためであり、同時に金と同じく展延性に寄与するためである。
【００１４】
その添加量はＰｔ１ｗｔ％未満では顕著な添加の効果がなく、Ｐｔ１０ｗｔ％を超えると金色は失われて白色に近い合金になるため、上限を１０ｗｔ％とした。
【００１５】
さらに、Ｐｔは化学的に極めて安定であり、気体中でも化学反応を起こさない利点を持つ。Ａｕ−Ｐｔは、全域にわたり固溶する全率固溶型合金となるが、Ａｕに対して１０ｗｔ％の領域でＰｔＡｕ３の金属間化合物を生成し、また、α１＋α２の固溶域も硬さに影響を及ぼすことになる。
【００１６】
また、Ｐｄを添加する目的は、微量の添加によって銀の耐硫化性を高め、金、銀に対しては全率固溶を示し、銅とはＰｄＣｕ３、ＰｄＣｕの金属間化合物を生成することによって硬さを高めるからである。また、銅と合金化することで時効硬化を示す。
【００１７】
その添加量はＰｄ１ｗｔ％未満では顕著な添加の効果がなく、Ｐｄ５ｗｔ％を超えると金色が失われて白色に近い合金になるため、上限を５ｗｔ％とした。
【００１８】
また、Ｚｎを添加する目的は、脱酸材として効果的な金属であり、流動性を向上させ、融点を下げるからである。
【００１９】
その添加量は０.５ｗｔ％未満では添加の効果がなく、５.０ｗｔ％を超えると溶解時のフューム化が問題になるため、添加上限を５.０ｗｔ％とした。
【００２０】
また、Ｉｎを添加する目的は、Ｚｎと同様に脱酸効果と流動性の向上、融点の降下にあるが、Ｉｎ（沸点２０７２℃）はＺｎ（沸点９０７℃）のように低温域ではフューム化せず、高温域での鋳造に有効であるためである。
【００２１】
その添加量は０.５ｗｔ％未満では添加の効果がなく、一方、添加量の上限は、Ａｕを６０ｗｔ％以上に確保し、そこにＰｔ等の他の金属を添加させるために添加量が制限されるためである。
【００２２】
また、Ｓｎを添加する目的は、Ｚｎ、Ｉｎと同様に、脱酸効果と流動性の向上、融点の降下にある。
【００２３】
その添加量は０.５ｗｔ％未満では添加の効果がなく、３.０ｗｔ％を超えるとＡｕとの間で多くの金属間化合物を生成して合金が硬く脆くなるため、上限を３ｗｔ％とした。
【００２４】
また、色調の判定は目視にて行った。
【発明を実施するための形態】
【００２５】
実施例を表１に示す
【００２６】
【表１】
2018066038.tif 000002
表１の結果より、Ｐｔ、Ｐｄ、Ｚｎ、Ｉｎ、Ｓｎ等の添加により、硬さの向上を確認することができた。
【００２７】
また、同様にこれらＺｎ、Ｉｎ、Ｓｎ等の添加は、融点を低下させ、鋳造性の向上に寄与することも確認できた。
(57)【要約】【課題】良好な品質の被めっき物を供給できる無電解めっき治具を提供することを課題とする。【解決手段】外周部に枠状の捨て代領域を有する平板状の被めっき物を、捨て代領域を挟持するクランプ２により保持した状態で無電解めっき液中に浸漬するめっき治具Ａであって、めっき治具Ａの表面は、梨地仕上げであることを特徴とする。【選択図】図１
2018066044.tif 000002
【特許請求の範囲】
【請求項１】
外周部に枠状の捨て代領域を有する平板状の被めっき物を、前記捨て代領域を挟持するクランプにより保持した状態で無電解めっき液中に浸漬するめっき治具であって、該めっき治具の表面は、梨地仕上げであることを特徴とするめっき治具。
【発明の詳細な説明】
【技術分野】
【０００１】
本発明は、無電解めっき治具に関するものである。
【背景技術】
【０００２】
めっき技術は、例えば配線基板の配線形成用途として広く用いられている。平板状の絶縁板表面に無電解めっきを施すことにより下地金属層を被着させておき、その上に電解めっきを施して電解めっき金属層を析出させることで配線が形成される。
【０００３】
平板状の絶縁板に無電解めっきを施すときには、絶縁板を保持しておくクランプを備えたバスケット状の無電解めっき治具を用いる。
このような無電解めっき治具は、例えばステンレスから成るフレームが溶接によりバスケット状に組まれた骨格を有している。
フレームの一部には、互いに対向する位置にクランプが取設されている。
そして、絶縁板を無電解めっき治具内に挿入してクランプで保持した状態で、無電解めっき液中に浸漬することで、下地金属層を絶縁板表面に被着させる。
このとき、無電解めっき治具の表面にも金属層が被着する。
【０００４】
ところが、無電解めっき治具の表面に被着した金属層は、治具表面との密着強度が弱いために剥がれてしまい無電解めっき液中に浮遊してしまう。このため、無電解めっき処理中の配線基板表面に付着して配線間の短絡を引き起こす場合がある。その結果、良好な品質の被めっき物を供給することができないという問題がある。
【先行技術文献】
【特許文献】
【０００５】
【特許文献１】特開平４−２８２９０号公報
【発明の概要】
【発明が解決しようとする課題】
【０００６】
本開示の課題は、無電解めっき治具から剥がれる金属層を低減することで、良好な品質の被めっき物を供給できる無電解めっき治具を提供することにある。
【課題を解決するための手段】
【０００７】
本開示の無電解めっき治具は、外周部に枠状の捨て代領域を有する平板状の被めっき物を、捨て代領域を挟持するクランプにより保持した状態で無電解めっき液中に浸漬するめっき治具であって、めっき治具の表面は、梨地仕上げであることを特徴とするものである。
【発明の効果】
【０００８】
本開示の無電解めっき治具によれば、治具の表面が梨地状に仕上げられていることから、無電解めっき時に被着する金属層は、金属層と治具との被着面積の増加や、金属層が梨地状の凹部に入り込むことによるアンカー効果により、治具表面と強く密着する。
これにより、治具表面から剥がれて配線間の短絡を引き起こす原因となる金属層を低減することができる。その結果、良好な品質の被めっき物を供給することが可能になる。
【図面の簡単な説明】
【０００９】
【図１】図１は、本開示に係るめっき治具の一例を示す概略斜視図である。
【発明を実施するための形態】
【００１０】
次に、本開示に係る無電解めっき治具の実施形態の一例を、図１を基にして詳細に説明する。
【００１１】
無電解めっき治具Ａは、バスケット１と、クランプ２とを備えている。
バスケット１は、図１に示すように、例えばめっき液による腐食に強いステンレスから成るフレーム３が溶接により直方形状に組まれた骨格を有している。上辺のフレーム３に沿う位置には、互いに対向する一対の搬送用フレーム３ａが配設されている。また、上辺および下辺のフレーム３の間には、互いに対向する上側のクランプ用フレーム３ｂおよび下側のクランプ用フレーム３ｃが配設されている。さらに、互いに対向する下辺のフレーム３同士の間には、クランプ用フレーム３ａ、３ｂと平行な方向に、バスケット１に装着される被めっき物を受ける受け用フレーム３ｄが架設されている。
【００１２】
クランプ２は、上側および下側のクランプ用フレーム３ｂ、３ｃに取り付けられている。互いに対応するクランプ２同士は、対向する位置関係に配置されるとともに、下側のクランプ２は、上側のクランプ２の直下に配置されている。これら４個のクランプ２によって、一つの被めっき物が挟持される。
なお、本例においては説明の便宜上、４個のクランプ２のみを設けた例を示しているが、実際には数十のクランプ２が配設されている。
クランプ２は、四角平板状の被めっき物の両主面を線接触により挟持するための円柱部２ａを有している。この円柱部２ａにより被めっき物を挟持したままの状態で、バスケット１を無電解めっき液槽（不図示）に浸漬することで被めっき物の表面に無電解めっき金属層が析出される。
なお、円柱部２ａの上方には、被めっき物をクランプ２に装着しやすいように円錐部２ｂが設けられている。
【００１３】
このようなバスケット１の表面およびクランプ２の表面は、例えばブラスト加工によって梨地状に粗面化処理が施されている。表面の算術平均粗さＲａ＝４〜６μｍ程度であることが好ましい。４μｍよりも小さいと治具表面と金属層との密着強度が不十分となり、金属層の剥離防止効果が小さくなる。また、６μｍよりも大きいと、粗面化箇所の凹部にめっき用の薬液や洗浄水の残留が多くなることで、薬液や洗浄水の持ち出しや持ち込みが増加し、薬液や洗浄水の濃度管理が困難になる。
【００１４】
ところで、本開示のめっき治具Ａによれば、めっき治具Ａの表面が梨地状に仕上げられていることから、無電解めっき時に被着する金属層は、めっき治具との被着面積の増加や梨地状の凹部に入り込むことによるアンカー効果により、めっき治具表面との密着強度が向上する。
また、バスケット１の溶接時の肉付け部分がブラスト加工により平坦化されることから、金属層が溶接部に被着して堆積することを防止する効果もある。
これらにより、めっき治具表面から剥がれて配線間の短絡を引き起こす原因となる金属層を低減することができる。その結果、良好な品質の被めっき物を供給することが可能なめっき治具Ａを提供することができる。
【００１５】
なお、本発明は、上述の実施形態の一例に限定されるものではなく、本発明の要旨を逸脱しない範囲であれば種々の変更は可能である。例えば、上述の実施の形態の一例では、被めっき物を２つの円柱部２ａで挟持する一例を示したが、一方のみが円柱部２ａで他方が平面部から成るクランプ２であっても構わない。さらに、平板状のクランプの挟持面に小さな球面状の突起を多数設け、この突起と被めっき物の主面とが点接触で当接するようにしても構わない。
【符号の説明】
【００１６】
２    クランプ
Ａ    めっき治具
【図１】
2018066044.tif 000003
(57)【要約】【課題】  車をバックさせたり前進して駐車場や狭い道を通る時，低速走行の時，誤ってブレーキのつもりでアクセルを踏み込み事故を起こした。【解決の手段】  アクセル（１）の下にストッパー（３）を設け，前進やバックの時，低速走行の時，ブレーキ（２）のつもりでアクセル（１）を踏もうとしてもストッパー（３）に当たり踏み込めず，と同時に間違いに気づき踏み直し何事もなく済ます。【選択図】図１
2018122842.tif 000002
【特許請求の範囲】
【請求項１】
アクセル（１）の下にストッパー（３）を設け，前進の時，バックの時，低速走行の時，ストッパーを立ててアクセル（１）の踏み込みを制限する。
【発明の詳細な説明】
【技術分野】
【０００１】  この発明は，オートマチック車のアクセルの下にストッパーを設け，アクセルの踏み込みを制限するものである。
【背景技術】
【０００２】  従来，アクセルと床の間には何もなかった。
【発明の開示】
【発明が解決しようとする課題】
【０００３】  ブレーキを踏む積もりで誤ってアクセルを踏み込み，車が勝手にスッ飛んで事故を起こした。本発明は，ブレーキとアクセルの踏み違いによる事故を無くすために設けられたものである。
【課題を解決するための手段】
【０００４】  アクセル（１）と床の間にストッパー（３）を設ける。ストッパー（３）は，ワイヤー（４）を引いて立てたり，押して倒したりする。本発明は，以上の構成よりなるアクセルの下にストッパーを設けたものである。
【発明の効果】
【０００５】  前進やバックで走りだす時，止める時，また３０ｋｍ位で低速走行する時は，ストッパーを立てて走行し，万が一，止めようして誤ってブレーキのつもりでアクセルを踏んでもストッパーに当たり踏めないと，同時に間違いに気づき，車も動かないので慌てることもなくブレーキを踏み直し止める。
【発明を実施するための最良の形態】
【０００６】  以下，本発明を実施するための最良の形態について説明する。バックや前進，低速走行の時，止めるつもりで誤ってアクセル（１）を踏んでもストッパー（３）に当たり踏み込めず事故にならない。本発明は，以上のような構造である。これを使用するときは，手もとのワイヤーを引くとストッパーが立ち，押すと倒れアクセルの踏み込みが自由になる。
【図面の簡単な説明】
【０００７】
【図１】本発明の斜視図
【図２】本発明の右断面図
【符号の説明】
【０００８】１  アクセル２  ブレーキ３  ストッパー４  ワイヤー５  固定板
【図１】
2018122842.tif 000003
【図２】
2018122842.tif 000004
(57)【要約】【課題】人形体の関節構造において、従来の構造では設置が困難であった場所に設置でき、繰り返し動かしても保持力を失わない関節構造を提供する。【解決手段】従来の関節軸と軸受けとの間の摩擦に依らず、各部材に取り付けた磁石及び金属部品の間に生じる磁力によって関節を保持する構造とする。【選択図】図１
2018122071.tif 000002
【特許請求の範囲】
【請求項１】
人形の関節構造であって
２つの関節部材を軸で回動可能に取り付けた構造で、部材どうしの接する面にそれぞれ磁石、もしくは磁石と金属板を取り付け、磁力によって開節を保持できるようにしたことを特徴とする関節構造。
【請求項２】
端部に歯を設けた円筒状の部材に、外周に歯を設けた円柱状部材を互いの歯が噛み合うように差し込んだ状態を磁石で保持したことを特徴とする関節構造。
【請求項３】
側面に磁石もしくは金属版を取り付けた部材に、内壁に磁石を取り付けた部材を摺動可能に被せて取り付け、磁力で保持できるようにしたことを特徴とする関節構造。
【請求項４】
軸による可動関節を有する骨格部材と、連動する関節支持部材とからなる関節構造で、骨格部材に取り付けられた金属板と関節支持部材に取り付けられた磁石によって、磁力で関節を保持できるようにしたことを特徴とする関節構造。
【発明の詳細な説明】
【技術分野】
【０００１】  この発明は人形体の関節の磁石を用いた保持方法に関するものである。
【背景技術】
【０００２】  従来の人形玩具にみられる関節軸と軸受けの摩擦によって保持される関節構造は強度と保持力の確保の為には相応の大きさを必要とするため場合によって設置が困難であったり、繰り返しの使用による磨耗で保持力を失うことがあった。
【発明の開示】
【発明が解決しようとする課題】
【０００３】  従来の軸関節では設置が困難な場所に設置でき、繰り返し動かしても保持力を失わない関節構造を提供する。
【課題を解決するための手段】
【０００４】  各部材同士の接触面にそれぞれ磁石と金属板を設置し、磁力による吸着面の摩擦で関節を保持する。
【発明の効果】
【０００５】  磁力によって関節が保持される構造であるため、従来よりも関節軸の大きさや設置場所が自由になり、関節軸自体の設置が困難な場所にも関節構造を設けることができる。
また、繰り返しの使用にも、磨耗により保持力を失うことがない。
【発明を実施するための最良の形態】
【０００６】  以下、本発明を実施するための最良の形態について説明する。
肩関節部は胴体上部部材（１）の肩関節基部（２）と肩関節第一部材（３）、肩関節第二部材（４）とを連結し、それぞれの関節軸が人体における鎖骨や肩甲骨による肩の動きを模した動きを再現できるようにしたもので、胴体上部部材の肩関節部には関節軸を中心点とした扇状の肩関節基部（２）を設け、扇状金属板（５）を取り付ける。肩関節第一部材（３）には前述の金属板に接する位置に磁石（６）を取り付け、また前述の肩関節基部（２）の扇状の基部の外周に対応した位置に浮き上がり防止爪を設ける。同様に肩関節第一部材（３）と肩関節第二部材（４）との取り付け部にもそれぞれに前述の構造を設ける。
以上の構造を持つ関節部材を金属板と磁石が接する形に軸で回動可能に接続することで磁力によって関節を保持する構造である。
上腕部骨格部材には腕部を回転させるための関節があり、これは肩関節に連なる円筒状の第一部材（８）と、これに回動可能に差し込まれる円柱状で肘関節に連なる第二部材（９）とから成る構造で、第一部材の円筒の端に歯を、第二部材の円柱の外周にはこれに対応した歯を設け、たがいの歯が第一部材円筒内底部に取り付けられた磁石（１０）と、第二部材円柱先端に取り付けられた金属ネジ（１１）が引き合う力によって噛み合い、関節を保持する構造である。
上腕部外装（１２）は上腕部骨格部材を軸として摺動可能に取り付けられ、内壁に取り付けられた磁石（１３）と上腕骨格部材に取り付けられた金属輪（１４）によって定位置を保ち、肘関節を曲げる場合には摺動させて肘関節を大きく露出させ、より深く曲げることができるようにする構造である。
胴体部は胴体下部部材（１５）と、これに被さる胴体上部部材（１）とからなり、胴体下部部材には  側面に金属板（１６）を取り付け、胴体上部部材の動きを誘導するためのガイド（１７）を設ける。胴体上部部材（１）には胴体下部部材の金属板（１６）に接する内壁に磁石（１８）を取り付け、上記の胴体  下部部材に摺動可能に被せ取り付けた構造である。
脚部膝関節は大腿部部材（１９）と脛部材（２０）、膝関節支持部材（２１）とからなる構造であって、膝関節支持部材（２１）には一端に円筒形の基部を設け中に磁石（２２）を取り付け、他端には脛部材に取り付けるための軸（２３）を設ける。
大腿部部材（１９）には側面に上記の関節支持部材の円筒形基部が摺動するための溝（２４）を設け、溝底面には金属板（２５）を取り付ける。膝関節にあたる部分には軸（２６）を設ける。  脛部材には膝関節にあたる部分に大腿部部材（１９）の軸を受ける軸穴（２７）を設け、膝関節用軸穴の前方上部にずらした位置に関節支持部材の軸を受ける軸穴（２８）を設ける。上記大腿部材（１９）と脛部材（２０）を軸によって回動可能に取り付け、関節支持部材（２１）を軸と円筒形基部によって大腿部材と脛部材に連動するように取り付けることで、磁力によって膝関節を保持できるようにした関節構造である。
【図面の簡単な説明】
【０００７】
【図１】  本発明の分解斜視図である。
【符号の説明】
【０００８】１    胴体上部部材
２    肩関節基部
３    肩関節第一部材
４    肩関節第二部材
５    扇状金属板
６    磁石
７    浮き上がり防止用爪
８    上腕部第一部材
９    上腕部第二部材
１０  磁石
１１  金属ネジ
１２  上腕部外装
１３  磁石
１４  金属輪
１５  胴体下部部材
１６  金属板
１７  ガイド
１８  磁石
１９  大腿部部材
２０  脛部材
２１  膝関節支持部材
２２  磁石
２３  取付軸
２４  膝関節支持部材摺動溝
２５  大腿部部材用金属板
２６  膝関節軸
２７  膝関節軸穴
２８  膝関節支持部材取付用軸穴
【図１】
2018122071.tif 000003
(57)【要約】      （修正有）【課題】従来は、片手にハブラシ片手でハミガキをつけて両手を使っていた。ハミガキを使ってしまった時に別のハミガキを探すのに困ることがあった。以上のような欠点をなくすためのハブラシを提供する。【解決手段】既にハブラシ７にハミガキがついたものである。ハミガキ入りチュウブ５を取り換えることによりハミガキ入りチュウブがなくなるまで使用できるハブラシである。ハミガキ入りチュウブの中身がなくなれば取り換えることによりハミガキ入りチュウブがなくなるまで使用できるハブラシである。【選択図】図１
2018122072.tif 000002
【特許請求の範囲】
【請求項１】
ハミガキ入りチュウブを取り換えることによりハミガキ入りチュウブがなくなるまで使用できる
【請求項２】
ハミガキとハブラシが一体型である。
【請求項３】
ハミガキ入りチュウブの蓋を押すことによりパイプをとうしてハミガキが出てくる。
【発明の詳細な説明】
【技術分野】
【０００１】本発明はハブラシとハミガキを一体型にして、いつでも使うことができるるようした、ハミガキ付きハブラシに関するものである。
【背景技術】
【０００２】従来、ハブラシとハミガキは別別だった。
【発明の概要】
【発明が解決しようする課題】
【０００３】これには次のような欠点があった。
従来、ハブラシとハミガキは別々でありハミガキがない時は困ることがあった。
本発明は、以上のよううな欠点をなくすためになされたものである。
【発明が解決しようするための手段】
【０００４】従来のハブラシは片手にハブラシ片手でハミガキを付けていたものである。
【発明の効果】
【０００５】本発明は、ハブラシとハミガキが一体なっているのでハミガキが必要になった場合でも、探す手間が省ける。
【発明を実施するための最良の形態】
【０００６】以下発明の実施の形態を説明する。
（イ）キャップ（６）を開いててハミガキ入りチューブ（５）を本体に挿入する。
（ロ）キャップ（６）を本体に挿入したら蓋をする。
（ハ）キャップ（６）を蓋したらハミガキ入りチューブ（４）を押す。
（ニ）ハミガキ入りチューブ（４）を押したらハミガキがパイプ（３）を通過する。
（ホ）パイプ（３）を通過したハミガキは蓋（２）を押してブラシに出てくる。
（ト）ハミガキがハブラシについた状態になる。
【図面の簡単な説明】
【０００７】
【図１】〔断面図〕
【図２】〔平面図〕
【符号の説明】
【０００８】（１）ブラシ    （２）蓋    （３）パイプ    （４）ふた
（５）ハミガキ入りチューブ    （６）キャップ    （７）ハブラシ
【図１】
2018122072.tif 000003
【図２】
2018122072.tif 000004
(57)【要約】      （修正有）【課題】１人で持ち運びのできる、コンクリート製の台を用いる木製の縁台を提供する。【解決手段】直方体の台の代わりに、底部は長方形（２）で、その上面の端に１個の上面が水平なアーチ形の突出部分（１）を直立させたコンクリート製の台を用いることで、体積を直方体の台より小さくして、台を１人で運べる重さとする。そして、その台を左右に離して、向き合うように１個ずつ置き、その上に、厚い板で出来た重い木製の座板を渡して、縁台とする。座板は重くて風に飛ばされないから、座板とコンクリートの台は一体化しない。縁台を運ぶ時は、座板と台に分かれているそれぞれを１個ずつ運べば、１人で楽に運べる重さになる。【選択図】図１
2018122067.tif 000002
【特許請求の範囲】
【請求項１】
長方形の板の上面に１個のアーチ形の突出部分を直立に設けたコンクリート製の台。
【発明の詳細な説明】
【技術分野】
【０００１】本発明はコンクリート製の台を用いる木製の縁台に関するものである
【背景技術】
【０００２】従来の木製の縁台は脚部分から腐食する欠点があった。その欠点をなくすために、脚部分は腐食しない直方体のコンクリート製の台とする事もある。
【発明が解決しようとする課題】
【０００３】しかし、コンクリートは重いから、従来の木製の縁台のように１人で縁台を持って移動することは出来なかった。
【課題を解決するための手段】
【０００４】本発明は、それを解決するために、直方体の台の代わりに、長方形の板の上面に、１個の直立したアーチ形の突出した部分を持つ、アーチ形のコンクリート製の台を用いることで、台の体積を直方体の台より小さくして、台を軽くする。
そして、その台を、左右に離して、向き合うように１個ずつ置き、その上に、厚い板で出来た重い木製のすのこを渡して、縁台とする。
すのこは重くて風に飛ばされないから、すのことアーチ形のコンクリート製の台は１体化しない。
【発明の効果】
【０００５】本発明の台は直方体の台と比較すると、アーチ形の部分の体積が小さいから、その分だけ軽くなり、１人で運べる重さになる。
そして、縁台は１個のすのこと２個の台に分かれているから、それらを１つずつ運ぶことになり、楽に運べる。
長方形の板部分は台が倒れるのを防ぐ働きをして、台の自立を可能にする。
アーチ形の部分はすのこを支える柱と梁の役目をする本来の機能のほかに、物を倒す横風の力を逃がす働きをして、自立した台の安定性を高め、台を運ぶ時は取っ手になり便利である。
【図面の簡単な説明】
【０００６】
【図１】アーチ形の台の斜視図である。
【図２】アーチ形の台を用いた縁台の斜視図である。
【発明を実施するための形態】
【０００７】本発明のアーチ形の台は、図１に示されるようにアーチ形の部分とその下の長方形の板部分で形成されている。
アーチ形の部分は、長方形の板部分の中央ではなく端に置く。そうすれば、アーチ形の部分を持った時に、持つ人の体に台が近く楽に持てる。
【符号の説明】
【０００８】１  アーチ形の部分
２  長方形の板部分
３  すのこ
【図１】
2018122067.tif 000003
【図２】
2018122067.tif 000004
【手続補正書】
【提出日】平成30年1月15日(2018.1.15)
【手続補正１】
【補正対象書類名】特許請求の範囲
【補正対象項目名】請求項１
【補正方法】変更
【補正の内容】
【請求項１】
底部は長方形（２）で、その上面の端に１個の上面が水平であるアーチ形の突出部分（１）が直立したコンクリート製の台
【手続補正２】
【補正対象書類名】明細書
【補正対象項目名】０００４
【補正方法】変更
【補正の内容】
【０００４】本発明は、それを解決するために、直方体の台の代わりに、底部は長方形（２）で、その上面の端に１個の上面が水平であるアーチ形の突出部分（１）が直立したコンクリート製の台を用いることで、台の体積を直方体の台より小さくして、台を軽くする。そして、その台を、左右に離して、向き合うように１個ずつ置き、その上に、重い木製の座板を渡して、縁台とする。
座板は重くて風に飛ばされないから、座板とアーチ形のコンクリート製の台は１体化しない。
【手続補正３】
【補正対象書類名】明細書
【補正対象項目名】０００５
【補正方法】変更
【補正の内容】
【０００５】本発明の台は直方体の台と比較すると、アーチ形の部分の体積が小さいから、その分だけ軽くなり、１人で運べる重さになる。そして、縁台は１個の座板と２個の台に分かれているから、それらを１つずつ運ぶことになり、楽に運べる。
長方形の部分は台が倒れるのを防ぐ働きをして、台の自立を可能にする。アーチ形の部分は座板を支える柱と梁の役目をする本来の機能のほかに物を倒す横風の力を逃がす働きをして、自立した台の安定性を高め、台を運ぶ時は取っ手になり便利である。
【手続補正４】
【補正対象書類名】明細書
【補正対象項目名】０００７
【補正方法】変更
【補正の内容】
【０００７】本発明のアーチ形の台は、図１に示されるようにアーチ形の部分とその下の長方形の部分で形成されている。
アーチ形の部分は長方形の部分の中央ではなく端に置く。そうすれば、アーチ形の部分を持った時に、持つ人の体に台が近く楽に持てる。
【手続補正５】
【補正対象書類名】明細書
【補正対象項目名】０００８
【補正方法】変更
【補正の内容】
【０００８】１アーチ形の部分
２長方形の部分
３座板
【手続補正６】
【補正対象書類名】図面
【補正対象項目名】全図
【補正方法】変更
【補正の内容】
【図１】
2018122067.tif 000005
【図２】
2018122067.tif 000006
(57)【要約】      （修正有）【課題】日本古来の伝承歩行法を習得する草履草鞋式中敷きを提供する。【解決手段】日本伝承歩行法用草履草鞋式中敷きと一般の西洋靴内の底部とが一体に固定できる様に簡易に固定および脱着取り外しができる様にする。【選択図】図１
2018122070.tif 000002
【特許請求の範囲】
【請求項１】
本発明の日本伝承歩行法用草履草鞋式中敷きは靴用の衝撃吸収素材「ゴム、植物繊維、ウレタンなど化学素材を足形中敷きに加工したもの」を日本古来の草鞋様式にテープ状鼻緒を付けて西洋靴用の草履草鞋式中敷きにしたものである。
特徴は草履草鞋式中敷きを両面テープまたはマジックテープで西洋靴内底部分にしっかり固定し、草履草鞋式中敷きと西洋靴が一体になるようにし、テープ状の鼻緒を草履草鞋様式に取り付けて、足を草履草鞋式中敷きに固定できるようにしたものである。
この日本伝承歩行法用草履鞋式中敷きと一般の西洋靴内の底部とが一体に簡易に固定できかつ脱着取り外しが簡易にできる様にしたものである。
この日本伝承歩行法用草履草鞋式中敷きの鼻緒部分を足の第１趾と第２趾でしっかり挟むことで足指先と靴先の一体感が自覚でき西洋靴先を自在にコントロールし易くなり、靴の着地衝撃回避や体重移動など微細な歩行調整が自在にできるようになる。この草履草鞋式中敷きを西洋靴に装着するだけで直ちに日本古来の伝承歩行法で歩けるようになる。
足の母趾球（第１趾と第２趾の付け根部分）から地面を探るように足裏全体で静かに着地させて歩き、膝のバネ効果を上手にコントロールし膝関節への衝撃を軽減させて歩くことができる日本伝承歩行法用の草履草鞋式中敷きになる。
ちょい歩き短距離用には中敷きに鼻緒の部分のみを取り付けた草履様式に第１趾と第２趾で鼻緒を挟みこれを支点に足の操作をしても日本伝承歩行法で歩くことができる。
この日本伝承歩行法用草履草鞋式中敷きはテープ状鼻緒を草鞋様式で足首に巻き付けテープ状鼻緒端を中敷きの両サイド各ループを通して足の甲の上部分でテープ状両端鼻緒端に付けたマジックテープで繋ぎ止めれば、足首と足底がしっかり固定され、足首関節の保護ができ、捻挫などの予防に役立ち、通常のローカット西洋靴でこの日本伝承歩行法用草履草鞋式中敷きを装着することによりハイカットの安全靴として履くことができるようになる。
【発明の詳細な説明】
【技術分野】
【０００１】  本発明はローカットの西洋靴でもこの日本伝承歩行法用草履草鞋式中敷きを装着することにより日本伝承歩行法で安全に簡単に歩けるようになる。
日本伝承歩行法用草履草鞋式中敷きは靴用の衝撃吸収素材「ゴム、植物繊維、ウレタンなど化学素材を足形中敷きに加工したもの」に日本古来の草鞋様式にテープ状鼻緒を取り付けて西洋靴用の草履草鞋式中敷きにしたものである。
この日本伝承歩行法用草履草鞋式中敷きは一般の西洋靴内の底部とが一体に固定できる様に両面テープまたはマジックテープで簡易に固定および脱着取り外しができる様にしたものであり、草鞋式にテープ状鼻緒を装着することにより足首を草履草鞋式中敷きに固定できるようにしたものである。
よって膝関節や足首の保護に役立ち安全かつ身体に優しい靴になる西洋靴装着用の日本伝承歩行法用草履草鞋式中敷きである。
【背景技術】
【０００２】  一般の西洋靴での西洋式歩行法は踵から着地させて歩く歩き方で、踵や足首、膝関節への負担が大きく膝痛など膝関節傷害の根本原因になっている。
日本古来より山岳修験者やマタギなど草鞋や地下足袋を履いて山地で活動する人々に受け継がれている日本古来の伝承歩行法は足への負担を極力少なくする歩き方であるが履き物として西洋靴が主流の今日、日本古来の伝承歩行法を習得するのが難しい生活環境になっている。
西洋靴にこの日本伝承歩行法用草履草鞋式中敷きを装着することで直ちに日本古来の伝承歩行法を習得でき安全安心の身体に優しい歩行ができるようになる。
日本伝承歩行法は草履、草鞋、地下足袋など履き物の鼻緒部分を足の第１趾と第２趾でしっかり挟み母趾球（第１趾と第２趾の付け根部分）から地面を探るように足裏全体を静かに下ろし静かに着地させる歩行法であり膝関節や足首、踵への負担が軽減され身体に優しい歩行法である。
日本伝承歩行法用草履草鞋式中敷きを今日の西洋靴に装着することで簡単に日本伝承歩行法を習得でき日本伝承歩行ツールとして役立つものである。
【発明の概要】
【発明が解決しようとする課題】
【０００３】  西洋式歩行は踵から着地させて歩き踵や足首、膝関節への負担が大きい歩行法で西洋靴によるものでありこの西洋靴に日本伝承歩行法用草履草鞋式中敷きを装着することで直ちに日本古来の伝承歩行法を習得でき安全安心の膝関節および身体に優しい歩行ができるようになる。
【課題を解決するための手段】
【０００４】  日本伝承歩行法用草履草鞋式中敷きは靴用の衝撃吸収素材「ゴム、植物繊維、ウレタンなど化学素材を足形中敷きに加工したもの」を日本古来の草鞋式様にテープ状鼻緒を取り付けて西洋靴用の草履草鞋式中敷きにしたものである。
この日本伝承歩行法用草履草鞋式中敷きと一般の西洋靴内の底部とが一体に固定できる様に両面テープまたはマジックテープで簡易に固定および脱着取り外しができる様にしたものである
【発明の効果】
【０００５】  日本伝承歩行法用草履草鞋式中敷きはどんな西洋靴「運動靴、登山靴、ウォーキングシューズなど」でも簡単に装着でき、直ちに日本古来の伝承歩行法を習得でき膝関節傷害予防に役立ち安全安心の身体に優しい安全安心の靴にできる。
【図面の簡単な説明】
【０００６】
【図１】日本伝承歩行法用草履草鞋式中敷き実施例を示す正面図である。
【図２】日本伝承歩行法用草履草鞋式中敷き実施例を示す裏面図である。
【図３】日本伝承歩行法用草履草鞋式中敷きの断面図である。
【発明を実施するための形態】
【０００７】  日本伝承歩行法用草履草鞋式中敷きは靴用の衝撃吸収素材「ゴム、植物繊維、ウレタンなど化学素材を足形中敷きに加工したもの」を日本古来の草鞋式様にテープ状鼻緒を付けて西洋靴用の草履草鞋式中敷きにしたものである。
この日本伝承歩行法用草履草鞋式中敷きと一般の西洋靴内の底部とが一体に固定できる様に両面テープまたはマジックテープで簡易に固定および脱着取り外しができる様にしたものである
【産業上の利用可能性】
【０００８】  日本伝承歩行法は山歩きや難所歩きまた体力や歩行力のなくなった高齢者の安全安心歩行に役立つ歩行法であるので西洋靴に簡単に装着可能のこの日本伝承歩行法用草履草鞋式中敷きは安全安心歩行の健康づくり歩行運動および体力づくり歩行運動の奨励に寄与できるものであり、日本伝承歩行法用草履草鞋式中敷きの普及は今日の高齢化社会の健康長寿問題の解決の一助となるものと考えている。
【図１】
2018122070.tif 000003
【図２】
2018122070.tif 000004
【図３】
2018122070.tif 000005